(57)【要約】【要約書】【課題】  暑寒に対してより凌ぎ易くし気持ち良く着用し目的に対応しての活動を快適に行なうことが出来る暑寒用ベストの提供。【解決手段】  右前身頃３と左前身頃４と後身頃５からなるベスト本体２の右前身頃３と左前身頃４の開口３ａ・４ａにファスナー６を設け、外胸ポケット７を右前身頃３と左前身頃４の胸部付近の外側に、外胸下ポケット８を外胸ポケット７下方の右前身頃３と左前身頃４の外側に、内胸ポケット９を右前身頃３と左前身頃４の胸部付近の内側に設けたベストに於いて、保温性を有する生地からなる背内ポケット１０を後身頃５の背中の内側に開口部１０ａを上方にして設けるとともに、保温性を有する生地からなる腰内ポケット１２を背内ポケット１０の下方の後身頃５腰付近の内側に開口部１２ａを上方にして設けたものである。【選択図】        図１
0003116633.tif 000002
【実用新案登録請求の範囲】
【請求項１】
右前身頃と左前身頃と後身頃からなるベスト本体の右前身頃と左前身頃の開口にファスナーを設け、外胸ポケットを右前身頃と左前身頃の胸部付近の外側に、外胸下ポケットを外胸ポケット下方の右前身頃と左前身頃の外側に、内胸ポケットを右前身頃と左前身頃の胸部付近の内側にそれぞれ設けたベストに於いて、保温性を有する生地からなる背内ポケットを後身頃の背中の内側に開口部を上方にして設けるようにしたことを特徴とする暑寒用ベスト。
【請求項２】
保温性を有する生地からなる腰内ポケットを背内ポケット下方の後身頃腰付近の内側に開口部を上方にして設けた請求項１記載の暑寒用ベスト。
【請求項３】
腰内ポケットが長方形で横に長い場合、中央に縫着による割りを設けて二分するようにした請求項２記載の暑寒用ベスト。
【考案の詳細な説明】
【技術分野】
【０００１】  本考案は熱い夏や寒い冬の季節に於いて、各種作業時やゴルフなどのレジャー時に着用し暑寒を少しでも凌ぐことが出来るようにした暑寒用ベストに関するものである。
【背景技術】
【０００２】  科学の発達に伴って仕事或はレジャーなどの日常生活が多様化してきている中で、衣類もそれぞれの目的に対応させてより着心地を良くするために素材から製品に至る幅広い分野にわたって色々研究されてきている。
そして保温性を十分に保たせるために遠赤外線射出する生地を用いた衣類や、夏には麻などの涼しい生地を用いた肌着類など暑寒に対応した衣類が開発されてきている。
【考案が解決しようとする課題】
【０００３】  このように色々な暑寒に対応した衣類が開発されてきているが、未だ暑寒に対してそれで十分に対応することが出来るとは云えず、開発された衣類を着用していても不快感が残り暑寒に対応した衣類の着用上非常に不都合を感じていた。
【課題を解決するための手段】
【０００４】  本考案はこのような不都合を解消し、暑寒に対してより凌ぎ易くし気持ち良く着用し目的に対応しての活動を快適に行なうことが出来る暑寒用ベストを提供せんとするものである。
右前身頃と左前身頃と後身頃からなるベスト本体の右前身頃と左前身頃の開口にファスナーを設け、外胸ポケットを右前身頃と左前身頃の胸部付近の外側に、外胸下ポケットを外胸ポケット下方の右前身頃と左前身頃の外側に、内胸ポケットを右前身頃と左前身頃の胸部付近の内側にそれぞれ設けたベストに於いて、
保温性を有する生地からなる背内ポケットを後身頃の背中の内側に開口部を上方にして設けるとともに、保温性を有する生地からなる腰内ポケットを背内ポケットの下方の後身頃腰付近の内側に開口部を上方にして設けたものである。
尚、腰内ポケットが長方形で横に長い場合は、中央に縫着による割りを設けて二分しても良い。
又、背内ポケット及び腰内ポケットの開口部にファスナーを設けて収納物の収納を確実にするようにしても良い。
【０００５】  使用に当っては、従来のベストと同じように着用すれば良い。
そして暑い季節で着用する場合には、開口部より背内ポケットと腰内ポケット内にそれぞれ市販の板状の保冷剤を入れて着用する。
このようにして着用すると、背内ポケットと腰内ポケット内の保冷剤にて背中と腰が冷やされて暑さを凌ぐことが出来る。
又、寒い季節に着用する場合は、前記保冷剤に替えて保温剤を用いることによって同じように寒さを凌ぐことが出来る。
【０００６】  尚、背内ポケット及び腰内ポケットの開口部にファスナーを設けることによって、背内ポケット及び腰内ポケット内に入れた保冷剤や保温剤の落下を防ぎどのような姿勢になっても収納を確実に行なえると共に、腰内ポケットが長方形で横に長い場合、中央に縫着による割りを設けて二分しているが、腰内ポケット内での保冷剤や保温剤の移動を無くし腰内ポケットを有効利用することが出来る。
更に、背内ポケットと腰内ポケットを保温性の生地を用いたことによって、体温による影響を少なくし背内ポケットと腰内ポケット内に入れた保冷剤や保温剤の効果を持続させるため、快適な気分で作業やレジャーや日常活動を行なうことが出来る。
そして着用が終ると、前記の逆の手順で背内ポケットと腰内ポケットより保冷剤や保温剤を取り出し暑寒用ベストのみを所定の場所に収納する。
【考案の効果】
【０００７】  上述の如く本考案の請求項１及び請求項２に於いては、背内ポケットと腰内のケット内に暑寒の季節に応じて保冷剤或は保温剤を入れることによって背中や腰付近を温冷して暑寒を凌ぐことが出来ると共に、背内ポケットと腰内ポケットを保温性の生地を用いたことによって、体温による影響を少なくし背内ポケットと腰内ポケット内に入れた保冷剤や保温剤の効果を持続させることが出来る。
請求項３に於いては、腰内ポケット内での保冷剤や保温剤の移動を無くし腰内ポケットを有効利用することが出来る。
このため気持ち良く着用し快適な気分で各種作業やレジャーや日常活動など幅広い分野での使用が行なえるなど多くの特長があり実用上非常に優れた考案である。
【考案を実施するための最良の形態】
【０００８】  右前身頃と左前身頃と後身頃からなるベスト本体の右前身頃と左前身頃の開口にファスナーを設け、外胸ポケットを右前身頃と左前身頃の胸部付近の外側に、外胸下ポケットを外胸ポケット下方の右前身頃と左前身頃の外側に、内胸ポケットを右前身頃と左前身頃の胸部付近の内側にそれぞれ設けたベストに於いて、
保温性を有する生地からなる背内ポケットを後身頃の背中の内側に開口部を上方にして設けるとともに、保温性を有する生地からなる腰内ポケットを背内ポケットの下方の後身頃腰付近の内側に開口部を上方にして設けたものである。
【実施例１】
【０００９】  以下本考案の一実施例を図面について説明する。
図中１はベスト全体を示し、２は右前身頃３と左前身頃４と後身頃５とからなるベスト本体であって、ファスナー６を右前身頃３と左前身頃４の開部３ａ・４ａに設けて開部３ａ・４ａの開閉を可能とすると共に、外胸ポケット７を右前身頃３と左前身頃４の胸部付近の外側に、外胸下ポケット８を外胸ポケット７下方の右前身頃３と左前身頃４の外側に、内胸ポケット９を右前身頃３と左前身頃４の胸部付近の内側にそれぞれ縫着にて設けている。【００１０】  １０は保温性を有する生地からなり開口部１０ａにファスナー１１を設け開口部１０ａの開閉を可能としてなる背内ポケットであって、前記後身頃５の背中の内側に開口部１０ａを上方にして設けている。
１２は保温性を有する生地からなり開口部１２ａにファスナー１３を設け開口部１２ａの開閉を可能としてなる腰内ポケットであって、前記背内ポケット１０の下方の後身頃５内側に開口部１２ａを上方にして設けている。
尚、腰内ポケット１２が長方形で横に長い場合は、中央に縫着による割り１４を設けて二分するようにしても良い。【００１１】  使用に当っては、従来のベストと同じように着用すれば良い。
そして暑い季節で着用する場合には、ファスナー１１・１３にて開口部１０ａ・１２ａを１０ａ・１２ａ開き背内ポケット１０と腰内ポケット１２内にそれぞれ市販の板状の保冷剤を入れ、ファスナー１１・１３にて開口部を１０ａ・１２ａを閉じて着用する。
このようにして着用すると、背内ポケット１０と腰内ポケット１２内の保冷剤にて背中と腰が冷やされて暑さを凌ぐことが出来る。
又、寒い季節に着用する場合は、前記保冷剤に替えて保温剤を用いることによって同じように寒さを凌ぐことが出来る。【００１２】  更に、背内ポケット１０と腰内ポケット１２を保温性の生地を用いたことによって、体温による影響を少なくし背内ポケット１０と腰内ポケット１２内に入れた保冷剤や保温剤の効果を持続させるため、快適な気分で作業やレジャーや日常活動を行なうことが出来る。
そして着用が終ると、前記の逆の手順で背内ポケット１０と腰内ポケット１２より保冷剤や保温剤を取り出しベストのみを所定の場所に収納する。
【産業上の利用可能性】
【００１３】  ベストとして暑寒時に各種作業やレジャーや日常活動など幅広い分野で着服用することが出来る。
【図面の簡単な説明】
【００１４】
【図１】本考案実施例１の一部を破断した正面図
【符号の説明】
【００１５】  １    ベスト
２    ベスト本体
３    右前身頃
３ａ  開部
４    左前身頃
４ａ  開部
５    後身頃
６    ファスナー
７    外胸ポケット
８    外胸下ポケット
９    内胸ポケット
１０    背内ポケット
１０ａ  開口部
１１    ファスナー
１２    腰内ポケット
１２ａ  開口部
１３    ファスナー
１４    割り
【図１】
0003116633.tif 000003